(57)【要約】【課題】棚部材を任意に取付け可能とした棚取付構造において、不意に棚や棚受けブラケットに下方から接触してしまった場合であっても、これらの落下を未然に防止する。【解決手段】上下段のパネル保持部の間に部材長手方向に沿って、内部に第１係止部２ｆを有するスリット状の挿入溝２ｅが形成され、既設壁面Ｗに対し上下方向に間隔をおき水平方向に沿って多段配置で固定されるパネル取付用下地材２Ａと、前記上下段のパネル取付用下地材２Ａに上縁及び下縁が保持されることにより設置されるパネル材３と、一端部に、第１係止部２ｆに対して係止される第２係止部４ａを備え、パネル取付用下地材２Ａの任意箇所に装着可能とされる棚受けブラケット４と、前記棚受けブラケット４の載置面４ｃに対して装着される棚部材５Ａと、挿入溝２ｅ内に嵌入されるストッパー部材９Ａとからなる。【選択図】  図２
2004216052.tif 000002
【特許請求の範囲】
【請求項１】
上下面にそれぞれ上段側パネル材、下段側パネル材の保持部を有するとともに、前記上下段のパネル保持部の間に部材長手方向に沿って、内部に第１係止部を有するスリット状の挿入溝が形成され、既設壁面に対し上下方向に間隔をおき水平方向に沿って多段配置で固定されるパネル取付用下地材と、
前記上下段のパネル取付用下地材に上縁及び下縁が保持されることにより設置されるパネル材と、
一端部に、前記パネル取付用下地材の第１係止部に対して係止される第２係止部を備え、パネル取付用下地材の任意箇所に装着可能とされる棚受けブラケットと、
前記棚受けブラケットに装着される棚部材と、
前記パネル取付用下地材の挿入溝に嵌入され、棚受けブラケットの第２係止部または棚受けブラケットからの延在片と、挿入溝との間隙を埋めることにより棚受けブラケットの脱落を防止するストッパー部材とからなることを特徴とする棚部材の取付け構造。
【請求項２】
前記ストッパー部材は、前記棚受けブラケットまたは棚部材の上面側に鉛直軸回りに回転自在に軸支された付設部材とされ、棚受けブラケットまたは棚部材の装着後に、鉛直軸を中心として回転させることにより前記挿入溝に嵌入されるようにした請求項１記載の棚部材の取付け構造。
【請求項３】
前記ストッパー部材は単独の別体部材であり、棚受けブラケットまたは棚部材の装着後に、前記棚受けブラケットの第２係止部と挿入溝との間隙に嵌設するようにした請求項１記載の棚部材の取付け構造。
【請求項４】
前記棚部材は、その基端部分を棚受けブラケットの第２係止部と挿入溝との間隙に嵌入させることにより、ストッパー部材を兼用するようにしてある請求項１記載の棚部材の取付け構造。
【請求項５】
前記棚受けブラケットと棚部材とは一体の部材とした請求項１〜３いずれかに記載の棚部材の取付け構造。
【請求項６】
前記棚受けブラケットの載置面に、少なくとも一方側壁面がネジ部材によってスライド可能とされる押圧板よりなる凹状溝を形成し、この凹状溝内に半径方向に弾性変形可能な線状部材を挿入しておき、棚部材の設置後に前記押圧板をスライドさせることにより前記線状部材を強制的に弾性変形させ、棚部材の下面に圧着させることにより棚部材の外れ止めとしてある請求項１〜３いずれかに記載の棚部材の取付け構造。
【発明の詳細な説明】
【０００１】
【発明の属する技術分野】
本発明は、既設壁面に新たに設置されるとともに、種々構造の棚部材を任意位置に取付け可能とした棚部材の取付構造に関する。
【０００２】
【従来の技術】
従来より、室内において本や飾り物、置物などの整理、陳列、収納等の利便性を図るために、これらが載置される棚等を壁面の任意の位置に取付可能とした構造が知られている。
【０００３】
例えば下記特許文献１では、図８に示されるように、既設壁面Ｗにアンカーボルト５５により固定される部材であって、上段側のパネル材５２を保持する上面側パネル保持部５１ａと下段側のパネル材５２を保持する下面側パネル保持部５１ｂとが設けられるとともに、両者の間隙に下向き円弧状の挿入溝５１ｃが形成されたパネル取付用下地材５１と、一端部に前記挿入溝５１ｃに挿入される円弧状の係止部５３ａが設けられるとともに、棚部材５４の取付けのための棚挿入片５３ｂが形成された棚受けブラケット５３と、前記棚挿入片５３ｂに挿入される棚部材５４とから構成される棚部材の取付け構造５０が開示されている。
【０００４】
【特許文献１】
実用新案登録第３０７８６９２号公報
【０００５】
【発明が解決しようとする課題】
しかしながら、前記棚部材の取付け構造５０の場合には、人が立ち上がって棚部材５４に頭をぶつけるなど、不意に下方側から上方側に向けて前記棚受けブラケット５３または棚部材５４に力が加わると、前記棚受けブラケット５３の係止部５３ａがパネル取付用下地材５１の挿入溝５１ｃから外れてしまい、棚受けブラケット５３や棚部材５４と共に、前記棚部材５４の収納物が落下して、破損したり、床に傷がつく、さらには人に当たってケガをするなどの危険性があった。
【０００６】
そこで本発明の主たる課題は、不意に棚や棚受けブラケットに下方から接触してしまった場合であっても、これらの落下を未然に防止することができる棚部材の取付構造を提供することにある。
【０００７】
【課題を解決するための手段】
前記課題を解決するための請求項１に係る発明として、上下面にそれぞれ上段側パネル材、下段側パネル材の保持部を有するとともに、前記上下段のパネル保持部の間に部材長手方向に沿って、内部に第１係止部を有するスリット状の挿入溝が形成され、既設壁面に対し上下方向に間隔をおき水平方向に沿って多段配置で固定されるパネル取付用下地材と、
前記上下段のパネル取付用下地材に上縁及び下縁が保持されることにより設置されるパネル材と、
一端部に、前記パネル取付用下地材の第１係止部に対して係止される第２係止部を備え、パネル取付用下地材の任意箇所に装着可能とされる棚受けブラケットと、
前記棚受けブラケットに装着される棚部材と、
前記パネル取付用下地材の挿入溝に嵌入され、棚受けブラケットの第２係止部または棚受けブラケットからの延在片と、挿入溝との間隙を埋めることにより棚受けブラケットの脱落を防止するストッパー部材とからなることを特徴とする棚部材の取付け構造が提供される。
【０００８】
上記請求項１記載の発明によれば、棚受けブラケットの第２係止部等と、挿入溝との間隙を埋めることにより棚受けブラケットの脱落を防止するストッパー部材を設けたため、不意に棚や棚受けブラケットに下方から上方向に向けた力が加わったとしても、棚部材等の落下を防止することができる。なお、本発明における「棚部材」には、平板状の棚板の他、ラック状または籠状のもの等、本や飾り物、置物、小物類等を収納または収容できるものすべてが含まれるものとする。
【０００９】
請求項２記載の本発明として、前記ストッパー部材は、前記棚受けブラケットまたは棚部材の上面側に鉛直軸回りに回転自在に軸支された付設部材とされ、棚受けブラケットまたは棚部材の装着後に、鉛直軸を中心として回転させることにより前記挿入溝に嵌入されるようにした請求項１記載の棚部材の取付け構造が提供される。
【００１０】
上記請求項２記載の発明によれば、ストッパー部材を鉛直軸を中心として回転させる操作のみで前記挿入溝に嵌入させることができるので、ストッパー部材の前記挿入溝への嵌入を容易に行うことができる。
【００１１】
請求項３記載の本発明として、前記ストッパー部材は単独の別体部材であり、棚受けブラケットまたは棚部材の装着後に、前記棚受けブラケットの第２係止部と挿入溝との間隙に嵌設するようにした請求項１記載の棚部材の取付け構造提供される。
【００１２】
請求項４記載の本発明として、前記棚部材は、その基端部分を棚受けブラケットの第２係止部と挿入溝との間隙に嵌入させることにより、ストッパー部材を兼用するようにしてある請求項１記載の棚部材の取付け構造が提供される。
【００１３】
上記請求項４記載の発明によれば、棚部材がストッパー部材として兼用されるので、部材の省略を図ることができる。
【００１４】
請求項５記載の本発明として、前記棚受けブラケットと棚部材とは一体の部材とした請求項１〜３いずれかに記載の棚部材の取付け構造が提供される。
【００１５】
上記請求項５記載の発明においても、棚受けブラケットと棚部材とを一体の部材とすることにより部材の省略を図ることができる。
【００１６】
請求項６記載の本発明として、前記棚受けブラケットの載置面に、少なくとも一方側壁面がネジ部材によってスライド可能とされる押圧板よりなる凹状溝を形成し、この凹状溝内に半径方向に弾性変形可能な線状部材を挿入しておき、棚部材の設置後に前記押圧板をスライドさせることにより前記線状部材を強制的に弾性変形させ、棚部材の下面に圧着させることにより棚部材の外れ止めとしてある請求項１〜３いずれかに記載の棚部材の取付け構造が提供される。
【００１７】
上記請求項６記載の発明によれば、棚受けブラケットの載置面に形成された凹状溝に半径方向に弾性変形可能な線状部材を挿入しておき、これを押圧板によって変形させ棚部材の下面に圧着させることにより、棚部材が抜脱不能に棚受けブラケットに堅固に固定されるようになる。
【００１８】
【発明の実施の形態】
以下、本発明の実施の形態について図面を参照しながら詳述する。
【００１９】
〔第１形態例〕
図１は、本発明の第１形態例に係る棚部材の取付け構造１Ａを示す全体縦断面図であり、図２はそのＡ部拡大図で、（Ａ）は棚部材の取付け要領を示す図、（Ｂ）は棚部材の取付け後の状態を示す図である。
【００２０】
前記棚部材の取付け構造１Ａは、図１に示されるように、既設壁面Ｗに対し上下方向に所定間隔で、パネル取付用下地材（以下、単に下地材）２Ａ，２Ａ…が水平方向に沿って多段配置され、上下段の各下地材２Ａ、２Ａにそれぞれ上縁及び下縁が保持されることによりパネル材３，３が設置されたパネル壁面構造を成している。
【００２１】
前記下地材２Ａの任意箇所には棚受けブラケット４，４…が装着されるとともに、前記棚受けブラケット４の載置面に対して棚５Ａ、５Ｂやテーブル１５などの棚部材が装着されるようになっている。なお、本発明における棚部材の取付け構造は、一般住宅の他、オフィス、店舗および工場等で使用されるものを含むものである。
【００２２】
前記下地材２Ａは、詳細には図２に示されるように、鉛直方向に離間をおいて形成された上下２段の水平フランジ２ａ、２ｂを有するとともに、既設壁面Ｗに沿って延在された固定用鉛直フランジ２ｇを有し、ボルト等によって既設壁面Ｗに固定されるようになっている。
【００２３】
前記上段側の水平フランジ２ａの上面には、先端部および中間部に夫々上方側に起立する突片２ｃ、２ｃが形成され、これら突片２ｃ、２ｃの間にパネル材３の下縁が嵌合保持されている。また、前記下段側の水平フランジ２ｂの下面にも同様に、先端部および中間部に夫々下方側に垂下する突片２ｄ、２ｄが形成され、これら突片２ｄ、２ｄの間にパネル材３の上縁が嵌合保持されている。
【００２４】
前記水平フランジ２ａ、２ｂの間には、部材長手方向に沿って室内側に開口されたスリット状の挿入溝２ｅが形成されるとともに、前記挿入溝２ｅの下面側には開口寄り位置に上方に突出形成された凸部によって第１係止部２ｆが形成されている。
【００２５】
一方、棚受けブラケット４は、棚押えを兼用する取付け部４Ａと、棚５Ａが載置される棚受け部４Ｂとから構成されている。前記取付け部４Ａは、一端部、すなわち背面側に突出する水平突片に対して、前記下地材２Ａの第１係止部２ｆに対して係止される先端Ｌ字状の第２係止部４ａが形成されるとともに、棚５Ａの基端部を嵌合させるために断面コ字状の棚押え溝４ｂが形成されている。また、この取付け部４Ａの上面側には、支軸８により鉛直軸回りに回転自在に軸支されたストッパー部材９Ａが付設されている。
【００２６】
前記棚受け部４Ｂは、前記棚５Ａが載置される載置面４ｃと、パネル材３の表面に接触する鉛直面４ｄとを有する閉断面を成している。前記載置面４ｃには、凹溝４ｅが形成されるとともに、この凹溝４ｅ内に押圧板１１がネジ部材１０によってスライド可能に設けられている。そして、前記押圧板１１を一方側側壁面とする小凹溝４ｆ内にゴムまたは軟質樹脂よりなり半径方向に変形可能な断面円形状の線状部材１２を嵌設しておき、前記棚５Ａの設置後に、前記押圧板１１をスライドさせることにより前記線状部材１２を強制的に断面縦長の楕円形状となるように弾性変形させ、棚５Ａの下面に圧着させることにより前記棚５Ａの外れ止めとしている。
【００２７】
前記棚受けブラケット４の装着に際しては、該棚受けブラケット４に設けられた前記第２係止部４ａを前記下地材２Ａの第１係止部２ｆに係合させることにより、棚受けブラケット４を下地材２Ａに取り付けた後、前記ストッパー部材９Ａを、支軸８を中心として回転させることにより前記下地材２Ａの挿入溝２ｅに嵌入させ、前記第２係止部４ａと挿入溝２ｅとの間隙を埋めることにより、前記棚受けブラケット４の脱落が完全に防止されるようになる。なお、前記ストッパー部材９Ａの上面には一方寄り側位置に起立壁９ａが設けられ、挿入溝２ｅ内への入り過ぎを防止するとともに、棚受けブラケットを取り外す際に把手の役目をするようになっている。
【００２８】
なお、図示の例では、棚受けブラケット４と棚５Ａとを別部材としたが、両者を一体の部材、すなわち棚５Ａを一体的にボルト等により固定するか、棚５Ａを含めた断面形状の型材とすることでもよい。
【００２９】
〔第２形態例〕
図３に示される本第２形態例に係る棚部材の取付け構造１Ｂは、ストッパー部材を単独の別体部材とした例である。なお、本形態例および後述する第３形態例、第４形態例において、上述の第１形態例と同一の構造箇所については、図面に同符号を付して、原則として説明は省略する。
【００３０】
前記棚部材の取付け構造１Ｂは、図３に示されるように、下地材２Ｂが第１形態例に係る下地材２Ａに比して挿入溝２ｅの幅が広く形成されるとともに、第１係止部２ｆの凹凸部が深く形成され、かつこの凹部の幅が狭く形成されている。
【００３１】
一方、棚受けブラケット１４は、一端部に、前記第１係止部２ｆに係止される第２係止部１４ａを有するとともに、前記挿入溝２ｅを覆うように目隠し板１４ｂが形成されているとともに、この目隠し板１４ｂの裏面側に水平方向突片１４ｄが形成されている。この目隠し板１４ｂには、図４に示されるように、所定箇所にストッパー部材９Ｂを挿入させるための嵌入孔１４ｃが形成され、この嵌入孔１４ｃから前記水平方向突片１４ｄ（本発明における延在片に相当）と挿入溝２ｅとの間隙を埋めるように、ストッパー部材９Ｂを挿入設置し落下防止を図るようにする。前記ストッパー部材９Ｂは、前記嵌入孔１４ｃより嵌入される嵌入部本体９ｃと、前記嵌入孔１４ｃの縁に係合する鍔部９ｄとから構成される単独部材である。
【００３２】
前記棚受けブラケット１４には、前記目隠し板１４ｂに吊持されたラック収容部１５（棚部材に相当）が設けられている。このラック収容部１５は、ピアノ線等の線状部材によって背面１５Ｂおよび底面１５Ａからなる２つの面が直交して形成されるとともに、側端部には収容された本などが落下しないようにエンドバー１５ｃが形成された部材であり、背面側に突出形成された突出し部材１５ｄによって傾斜させた状態で取り付けられるようになっている。
【００３３】
〔第３形態例〕
図５に示される本第３形態例に係る棚部材の取付け構造１Ｃは、棚５Ｃがストッパー部材を兼用するようにした例である。
【００３４】
棚受けブラケット２４は、一端部に第２係止部２４ａを有し、前記下地材２Ｂの第１係止部２ｆに係合させることにより、棚受けブラケット２４を下地材２Ｂに取り付ける点は第１形態例と同様である。
【００３５】
本形態例では、棚受けブラケット２４を設置した後、棚受けブラケット２４の載置面２４ｂの上面に棚５Ｃを載置するとともに、この棚５Ｃの基端部を挿入溝２ｅ内に嵌入させることにより、自らがストッパーとなって前記棚受け部材２４の脱落を防止するものである。前記棚５Ｃは、リベット１３により棚受けブラケット２４に対して堅固に固定されるようになっている。
【００３６】
〔第４形態例〕
図６に示される第４形態例に係る棚部材の取付け構造１Ｄは、前記棚部材の取付け構造１Ｂと同様にストッパー部材を単独の別体部材とした構造の変形例である。
【００３７】
前記棚部材の取付け構造１Ｄでは、図６に示されるように、下地材２Ｄは、水平フランジ２ａ、２ｂの先端部分に突片２ｃ、２ｄが形成されているとともに、背面側において、鉛直フランジ２ｇが既設壁面Ｗに沿ってかつ上方向に向かって起立形成され、かつ下方向に沿って鉛直フランジ２ｈが形成されている。上段側の鉛直フランジ２ｇには、パネル材３の背面を支持するために室内面側に向かって断面略Ｌ字状の突片２ｉが形成されるとともに、下段側の鉛直フランジ２ｈには、同様に先端がＬ字状に屈曲した突片２ｊが形成され、前記水平フランジ２ａの突片２ｃと前記突片２ｉとによってパネル材３の下縁が保持されるとともに、水平フランジ２ｂの突片２ｄと前記突片２ｊとによってパネル材３の上縁が支持されている。また、第１係止部２ｆの凹凸は挿入溝２ｅの上面側に形成されている。
【００３８】
一方、棚受けブラケット３４は、棚押えを兼用する取付部３４Ａと、棚５Ｄが載置される棚受け部３４Ｂとから構成されている。前記取付部３４Ａは、一端部、すなわち背面側に突出するとともに、クランク状に形成され、かつ先端が上方向に屈曲した第２係止部３４ａが形成され、この第２係止部３４ａが前記下地材の第１係止部２ｆに対して係止されるようになっている。前記第２係止部３４ａには、後述するストッパー部材９Ｄが係合する係合孔３４ｂが形成されている。他方、前記取付部３４ａの棚部材５Ｄ取付け側には、水平方向に突出する水平係合片３４ｃと、鉛直下方向に垂下する鉛直壁３４ｄとが形成され、この水平係合片３４ｃと、鉛直壁３４ｄとにより棚５Ｄの基端部分が保持されるようになっている。
【００３９】
前記棚受け部３４Ｂは、棚５Ｄが載置される棚載置面３４ｅと、パネル材３と接触する鉛直面３４ｆとを有する閉断面を成している。前記棚載置面３４ｅ、鉛直面３４ｆは共に、先端が若干突出した形状をしており、この突出部が棚５Ｄ、パネル材３と接触している。
【００４０】
前記棚受けブラケット３４の装着に際しては、該棚受けブラケット３４に設けられた前記第２係止部３４ａを前記下地材２Ｄの第１係止部２ｆに係合させることにより、棚受けブラケット３４を下地材２Ｄに取り付けた後、前記第２係止部３４ａと挿入溝２ｅとの間隙を埋めるように、ストッパー部材９Ｄ（図６では図示せず）を端面側から挿入設置し落下防止を図るようにする。
【００４１】
具体的には、前記ストッパー部材９Ｄは、図７に示されるように、水平板部９ｅの後端部に前記第２係止部３４ａの端面に衝合する起立壁９ｆが形成され、かつ前記水平板部９ｅにコ字状に周囲が切り欠かれバネ性能が与えられるとともに、先端部に上方向に突出する爪部９ｇが形成された係止片９ｈが形成されたピース状部材であって、同図に示されるように、前記第２係止部３４ａと挿入溝２ｅとの間隙部分に挿入すると、前記爪部９ｇが係合孔３４ｂの縁部に係止することにより抜脱不能に保持され、棚受けブラケット３４の脱落が防止されるようになっている。
【００４２】
【発明の効果】
以上詳説のとおり本発明によれば、不意に棚や棚受けブラケットに下方から接触してしまった場合であっても、これらの落下を防止することができる。
【図面の簡単な説明】
【図１】第１形態例に係る棚部材の取付け構造１Ａを示す全体縦断面図である。
【図２】その要部拡大図（Ａ部）であり、（Ａ）は棚部材の取付け要領を示す図、（Ｂ）は棚部材の取付け後の状態を示す図である。
【図３】第２形態例に係る棚部材の取付け構造１Ｂを示す縦断面図である。
【図４】ラック収容部１５の裏面からの視図である。
【図５】第３形態例に係る棚部材の取付け構造１Ｃを示す縦断面図である。
【図６】第４形態例に係る棚部材の取付け構造１Ｄを示す縦断面図である。
【図７】ストッパー９Ｄの挿入方法を示す要部斜視図である。
【図８】従来の棚取付け構造５０を示す図である。
【符号の説明】
１Ａ〜１Ｄ…棚部材の取付け構造、２Ａ・２Ｂ…パネル取付用下地材（下地材）、２ａ…上段側水平フランジ、２ｂ…下段側水平フランジ、２ｅ…挿入溝、２ｆ…第１係止部、３…パネル材、４・１４・２４・３４…棚受けブラケット、４ａ・１４ａ・２４ａ・３４ａ…第２係止部、４ｅ…凹溝、５Ａ〜５Ｄ…棚、９Ａ〜９Ｄ…ストッパー部材、１０…ネジ部材、１１…押圧板、１２…線状部材、Ｗ…既設壁面
【図１】
2004216052.tif 000003
【図２】
2004216052.tif 000004
【図３】
2004216052.tif 000005
【図４】
2004216052.tif 000006
【図５】
2004216052.tif 000007
【図６】
2004216052.tif 000008
【図７】
2004216052.tif 000009
【図８】
2004216052.tif 000010